(57)【要約】  デジタル放送判定部１２２が、再生処理ユニット１４０Ａからレベル検出結果として報告されるアナログ放送の再生に適した帯域幅である広帯域で抽出した信号の信号レベル値ＶW、及び、ＩＢＯＣ方式の場合にはデジタル放送成分もアナログ放送成分も存在しない可能性のあるΔＦ程度の狭い帯域幅で抽出した信号レベル値ＶNを、選択するチャンネルを順次変えながら収集する。そして、デジタル放送判定部１２２は、信号レベル値ＶW，ＶNのみに基づいて、連続する３つのチャンネルについて、第１隣接チャンネル条件、中心チャンネル条件及び第２隣接チャンネル条件を満たしているか否かを順次判断することにより、ハイブリッド放送が行われているチャンネルをサーチする。このため、ＩＢＯＣ方式のラジオ放送の受信に際して、迅速にデジタル放送が含まれているか否かを判断することができる。
2009040940.tif 000002
【特許請求の範囲】
【請求項１】
選局指令に従って、信号源からの信号における前記選局指令に対応する周波数帯の信号を、所定周波数が中心周波数となっている中間周波数帯の信号である中間周波信号に変換するチューナ手段と；
前記所定周波数が、振幅変調方式のアナログラジオ放送波の搬送波の周波数に対応する場合に、前記所定周波数を中心周波数とし、前記アナログラジオ放送波から放送内容を再生するために適切な第１周波数帯の信号を、前記中間周波信号の中から選択して通過させる第１フィルタ手段と；
前記所定周波数を中心周波数とし、前記第１周波数帯よりも帯域幅が狭い第２周波数帯の信号を、前記中間周波信号の中から選択して通過させる第２フィルタ手段と；
前記第１フィルタ手段を通過した信号のパワーレベルである第１パワーレベルを検出する第１検出手段と；
前記第２フィルタ手段を通過した信号のパワーレベルである第２パワーレベルを検出する第２検出手段と；
前記選局指令を前記チューナ手段へ向けて発行する選局制御手段と；
特定チャンネルを指定した選局指令に対応して得られた前記第１パワーレベル及び前記第２パワーレベルと、前記特定チャンネルの隣接チャンネルの少なくとも１つを指定した選局指令に対応して得られた前記第１パワーレベル及び前記第２パワーレベルとに基づいて、前記特定チャンネルの中心周波数を中心周波数とするインバンド・オンチャンネル方式でデジタルラジオ放送が行われているか否かを判定する判定手段と；
を備えることを特徴とする放送受信装置。
【請求項２】
前記選局指令により前記特定チャンネルが指定された場合において、前記第１パワーレベルが第１所定パワーレベル以上であるとともに、前記第２パワーレベルが第２所定パワーレベル以上であるという第１条件と、前記選局指令により前記隣接チャンネルの一方が指定された場合において、前記第１パワーレベルが第３所定パワーレベル以上であるとともに、前記第２パワーレベルの前記第１パワーレベルに対する割合が所定値以下であるという第２条件とを含む判定条件を満たす場合に、前記判定手段は、前記特定チャンネルの中心周波数を中心周波数とするインバンド・オンチャンネル方式でデジタルラジオ放送が行われていると判定する、ことを特徴とする請求項１に記載の放送受信装置。
【請求項３】
前記判定条件には、前記選局指令により前記隣接チャンネルの他方が指定された場合において、前記第１パワーレベルが第３所定パワーレベル以上であるとともに、前記第２パワーレベルの前記第１パワーレベルに対する割合が所定値以下であるという第３条件が更に含まれる、ことを特徴とする請求項２に記載の放送受信装置。
【請求項４】
前記中間周波信号を、切換指令に従って、前記第１フィルタ手段及び前記第２フィルタ手段のいずれかに供給するスイッチ手段を更に備え、
前記判定手段は、前記切換指令を前記スイッチ手段へ向けて発行する、
ことを特徴とする請求項１〜３のいずれか一項に記載の放送受信装置。
【請求項５】
所定周波数間隔で配置されることが定められている複数のラジオ放送チャンネルについて、周波数順に前記選局指令を発行するように前記選局制御手段を制御するデジタル放送スキャン手段を更に備える、ことを特徴とする請求項１〜４のいずれか一項に記載の放送受信装置。
【請求項６】
選局指令に従って、信号源からの信号における前記選局指令に対応する周波数帯の信号を、所定周波数が中心周波数となっている中間周波数帯の信号である中間周波信号に変換する選局工程と；
前記所定周波数が振幅変調方式のアナログラジオ放送波の搬送波の周波数に対応する場合に、前記所定周波数を中心周波数として、前記アナログラジオ放送波から放送内容を再生するために適切な第１周波数帯の信号を前記中間周波信号の中から抽出し、抽出された信号のパワーレベルを検出する第１検出工程と；
前記所定周波数を中心周波数として、前記第１周波数帯よりも帯域幅が狭い第２周波数帯の信号を、前記中間周波信号の中から抽出し、抽出された信号のパワーレベルを検出する第２検出工程と；
前記選局指令において特定チャンネルが指定された場合の前記第１検出工程における検出結果及び第２検出工程における検出結果、並びに前記選局指令において特定チャンネルの隣接チャンネルの少なくとも１つが指定された場合の前記第１検出工程における検出結果及び第２検出工程における検出結果に基づいて、前記特定チャンネルの中心周波数を中心周波数とするインバンド・オンチャンネル方式でデジタルラジオ放送が行われているか否かを判定する判定工程と；
を備えることを特徴とする放送識別方法。
【請求項７】
請求項６に記載の放送識別方法を演算手段に実行させる、ことを特徴とする放送識別プログラム。
【請求項８】
請求項７に記載の放送識別プログラムが、演算手段により読み取り可能に記録されている、ことを特徴とする記録媒体。
【発明の詳細な説明】
【技術分野】
【０００１】
本発明は、放送受信装置、放送識別方法及び放送識別プログラム、並びに当該放送識別プログラムが記録された記録媒体に関する。
【背景技術】
【０００２】
従来から、ラジオ放送波を受信して、放送内容を再生するラジオ受信装置が広く普及している。こうしたラジオ放送としては、アナログ放送が伝統的に採用されてきたが、近年においては、デジタル放送の採用が進行している。【０００３】
かかるデジタル放送の方式として、米国で採用されているＩＢＯＣ（In-Band On-Channel）方式がある。このＩＢＯＣ方式では、ハイブリッド放送を採用して、アナログ放送にデジタル放送を追加することができる。このため、デジタル放送を利用したＨＤ（High Definition）ラジオ放送による音質の向上が可能となっている。ここで、ＩＢＯＣ方式のハイブリッド放送では、アナログ放送搬送波に隣接した両側の周波数帯域にデジタル放送搬送波を配置するようになっている。【０００４】
ところで、全ての放送局がハイブリッド放送を行っている訳ではない。すなわち、ある放送局ではハイブリッド放送が行われているが、他の放送局ではアナログ放送のみが行われている。こうした場合において、振幅変調方式のラジオ放送について、ハイブリッド放送を行っている放送局の放送周波数をオートシークする技術が提案されている（特許文献１参照：以下、「従来例」と呼ぶ）。【０００５】
この従来例では、オートシークに際して、オートシーク開始周波数から始まって、所定周波数間隔ごとの周波数が、選局周波数として、順次チューナに設定される。そして、選局周波数が設定されるたびに、通常のアナログ放送の帯域幅の信号パワーを検出することにより、選局周波数に対応する電波の電界強度を検出する。【０００６】
引き続き、電界強度の検出結果から、当該選局周波数に対応するアナログ放送又はハイブリッド放送のいずれかの放送波を受信しているか否かを判定する。この判定の結果が否定的であった場合には、ハイブリッド放送であるか否かを判断することなく、選局周波数を切り換える。【０００７】
一方、当該選局周波数に対応するアナログ放送又はハイブリッド放送のいずれかの放送波を受信しているか否かの判定の結果が肯定的であった場合には、受信信号をデジタル解析して、デジタル放送が含まれているか否かを判定するようになっている。この結果、選局周波数の設定のたびに受信信号をデジタル解析して、デジタル放送が含まれているか否かを判定する場合よりも迅速に、ハイブリッド放送のオートシークを実現している。【０００８】
【特許文献１】特開２００５−１２５９３号公報
【発明の開示】
【発明が解決しようとする課題】
【０００９】
従来例の技術では、デジタル放送のオートシークに際して、電界強度の検出結果から、当該選局周波数に対応するアナログ放送又はハイブリッド放送のいずれかの放送波を受信しているか否かの判定の結果が否定的であった場合には、受信信号のデジタル解析を行わずに済むので、迅速に選局周波数を切り換えることができる。しかしながら、当該判定の結果が肯定的であった場合には、１ｓｅｃ弱程度の時間を要する受信信号のデジタル解析を行うことが必要であった。【００１０】
このため、当該判定の結果が肯定的であった場合であっても、より迅速にＩＢＯＣ方式によるデジタル放送が含まれているか否かを判断できる技術が待望されている。かかる要望に応えることが、本発明が解決すべき課題の１つに挙げられる。【００１１】
本発明は、上記の事情を鑑みてなされたものであり、ＩＢＯＣ方式のラジオ放送の受信に際して、迅速にデジタル放送が含まれているか否かを判断できる放送受信装置及び放送識別方法を提供することを目的とする。
【課題を解決するための手段】
【００１２】
本発明は、第１の観点からすると、選局指令に従って、信号源からの信号における前記選局指令に対応する周波数帯の信号を、所定周波数が中心周波数となっている中間周波数帯の信号である中間周波信号に変換するチューナ手段と；前記所定周波数が、振幅変調方式のアナログラジオ放送波の搬送波の周波数に対応する場合に、前記所定周波数を中心周波数とし、前記アナログラジオ放送波から放送内容を再生するために適切な第１周波数帯の信号を、前記中間周波信号の中から選択して通過させる第１フィルタ手段と；前記所定周波数を中心周波数とし、前記第１周波数帯よりも帯域幅が狭い第２周波数帯の信号を、前記中間周波信号の中から選択して通過させる第２フィルタ手段と；前記第１フィルタ手段を通過した信号のパワーレベルである第１パワーレベルを検出する第１検出手段と；
前記第２フィルタ手段を通過した信号のパワーレベルである第２パワーレベルを検出する第２検出手段と；前記選局指令を前記チューナ手段へ向けて発行する選局制御手段と；特定チャンネルを指定した選局指令に対応して得られた前記第１パワーレベル及び前記第２パワーレベルと、前記特定チャンネルの隣接チャンネルの少なくとも１つを指定した選局指令に対応して得られた前記第１パワーレベル及び前記第２パワーレベルとに基づいて、前記特定チャンネルの中心周波数を中心周波数とするインバンド・オンチャンネル方式でデジタルラジオ放送が行われているか否かを判定する判定手段と；を備えることを特徴とする放送受信装置である。【００１３】
本発明は、第２の観点からすると、選局指令に従って、信号源からの信号における前記選局指令に対応する周波数帯の信号を、所定周波数が中心周波数となっている中間周波数帯の信号である中間周波信号に変換する選局工程と；前記所定周波数が振幅変調方式のアナログラジオ放送波の搬送波の周波数に対応する場合に、前記所定周波数を中心周波数として、前記アナログラジオ放送波から放送内容を再生するために適切な第１周波数帯の信号を前記中間周波信号の中から抽出し、抽出された信号のパワーレベルを検出する第１検出工程と；前記所定周波数を中心周波数として、前記第１周波数帯よりも帯域幅が狭い第２周波数帯の信号を、前記中間周波信号の中から抽出し、抽出された信号のパワーレベルを検出する第２検出工程と；前記選局指令において特定チャンネルが指定された場合の前記第１検出工程における検出結果及び第２検出工程における検出結果、並びに前記選局指令において特定チャンネルの隣接チャンネルの少なくとも１つが指定された場合の前記第１検出工程における検出結果及び第２検出工程における検出結果に基づいて、前記特定チャンネルの中心周波数を中心周波数とするインバンド・オンチャンネル方式でデジタルラジオ放送が行われているか否かを判定する判定工程と；を備えることを特徴とする放送識別方法である。【００１４】
本発明は、第３の観点からすると、本発明の放送識別方法を演算手段に実行させる、ことを特徴とする放送識別プログラムである。【００１５】
本発明は、第４の観点からすると、本発明の放送識別プログラムが、演算手段により読み取り可能に記録されている、ことを特徴とする記録媒体である。
【図面の簡単な説明】
【００１６】
【図１】本発明の第１実施形態に係る放送受信装置の構成を概略的に示すブロック図である。
【図２Ａ】図１の装置で想定する放送波の周波数分布を説明するための図（その１）である。
【図２Ｂ】図１の装置で想定する放送波の周波数分布を説明するための図（その２）である。
【図３】図１のチューナユニットの構成を示すブロック図である。
【図４】図１の再生処理ユニットの構成を示すブロック図である。
【図５】図４のアナログ放送処理部の構成を示すブロック図である。
【図６】図４のデジタル放送処理部の構成を示すブロック図である。
【図７】図１の制御ユニットの構成を示すブロック図である。
【図８】図１の装置によるハイブリッド放送のシーク処理を説明するためのフローチャートである。
【図９】図８の第１隣接チャンネル条件の判定処理を説明するためのフローチャートである。
【図１０】図８の次のチャンネルの選局処理を説明するためのフローチャートである。
【図１１】図８の中心チャンネルの条件判定処理を説明するためのフローチャートである。
【図１２】図８の第２隣接チャンネル条件の判定処理を説明するためのフローチャートである。
【図１３】図１の装置によるハイブリッド放送の全範囲スキャン処理を説明するためのフローチャートである。
【図１４】本発明の第２実施形態に係る放送受信装置の構成を概略的に示すブロック図である。
【図１５】図１４の再生処理ユニットの構成を示すブロック図である。
【図１６】図１５のアナログ放送処理部の構成を示すブロック図である。
【発明を実施するための最良の形態】
【００１７】
以下、本発明の実施形態を、添付図面を参照して説明する。なお、以下の説明においては、同一又は同等の要素には同一の符号を付し、重複する説明を省略する。【００１８】
［第１実施形態］
まず、本発明の第１実施形態を、図１〜図１３を参照しつつ説明する。【００１９】
＜構成＞
図１には、第１実施形態に係る放送受信装置１００Ａの概略的な構成がブロック図にて示されている。なお、放送受信装置１００Ａは、ＩＢＯＣ方式の振幅変調ラジオ放送を受信して再生することが可能な放送受信装置である。【００２０】
図１に示されるように、放送受信装置１００Ａは、アンテナ１１０と、制御ユニット１２０Ａと、チューナ手段としてのチューナユニット１３０と、アナログデジタル変換器（ＡＤＣ）１３５とを備えている。また、放送受信装置１００Ａは、再生処理ユニット１４０Ａと、デジタルアナログ変換器（ＤＡＣ）１４５と、音量調整ユニット１５０と、パワー増幅器１５５とを備えている。さらに、放送受信装置１００Ａは、スピーカ１６０と、操作入力ユニット１７０と、表示ユニット１８０とを備えている。【００２１】
アンテナ１１０は、放送局から送信されている放送波を受信する。このアンテナ１１０による受信結果は、受信信号ＲＦＳとして、チューナユニット１３０へ向けて出力される。【００２２】
ここで、アンテナ１１０により受信される受信信号ＲＦＳの信号パワーの周波数分布について説明する。なお、振幅変調方式のラジオ放送に利用される物理チャンネル（以下、単に「チャンネル」とも呼ぶ）の中心周波数ｆjは予め定められているものとする。そして、特定のチャンネルの中心周波数ｆjと、隣接チャンネルの中心周波数ｆj-1又はｆj+1との周波数差（以下、「チャンネル間隔」とも呼ぶ）は、一定値Δｆであるものとする。なお、本実施形態では、「Δｆ＝１０ｋＨｚ」であるものとして、以下の説明を行う。【００２３】
周波数ｆpを中心周波数とするアナログ放送及びデジタル放送の双方を含むハイブリッド放送が行われている場合には、図２Ａに示されるように、アナログ放送成分ＡＢＳpは、周波数（ｆp−５ｋＨｚ）〜（ｆp＋５ｋＨｚ）の範囲に含まれている。さらに、デジタル放送の上側第３成分ＤＴＵpは、周波数ｆp〜（ｆp＋５ｋＨｚ）の範囲に含まれ、デジタル放送の下側第３成分ＤＴＬpは、周波数（ｆp−５ｋＨｚ）〜ｆpの範囲に含まれている。【００２４】
また、デジタル放送の上側第２成分ＤＳＵpは、周波数（ｆp＋５ｋＨｚ）〜（ｆp＋１０ｋＨｚ）の範囲に含まれ、デジタル放送の下側第２成分ＤＳＬpは、周波数（ｆp−１０ｋＨｚ）〜（ｆp−５ｋＨｚ）の範囲に含まれている。さらに、デジタル放送の上側第１成分ＤＰＵpは、周波数（ｆp＋１０ｋＨｚ）〜（ｆp＋１５ｋＨｚ）の範囲に含まれ、デジタル放送の下側第１成分ＤＰＬpは、周波数（ｆp−１５ｋＨｚ）〜（ｆp−１０ｋＨｚ）の範囲に含まれている。【００２５】
すなわち、アナログ放送及びデジタル放送の双方を含むハイブリッド放送では、中心周波数fpのチャンネルと、その上側及び下側の隣接チャンネルとの３チャンネル分の周波数帯域が利用されるようになっている。以下、図２Ａに示されるようなハイブリッド放送に利用される３チャンネルのうち、中心のチャンネルを「中心チャンネル」と呼び、中心チャンネルに対する２つの隣接チャンネルを第１及び第２隣接チャンネルと呼ぶものとする。【００２６】
なお、図２Ａに示されるように、ハイブリッド放送の場合には、デジタル放送の上側第２成分ＤＳＵpの周波数帯域と、上側第１成分ＤＰＵpの周波数帯域との間には、いずれの成分も存在しない周波数幅ΔＦの周波数領域が配置されるようになっている。また、デジタル放送の下側第２成分ＤＳＬpの周波数帯域と、下側第１成分ＤＰＬpの周波数帯域との間にも、いずれの成分も存在しない周波数幅ΔＦの周波数領域が配置されるようになっている。【００２７】
周波数ｆqを中心周波数とするアナログ放送のみが行われている場合には、図２Ｂに示されるように、アナログ放送成分ＡＢＳqは、周波数（ｆq−５ｋＨｚ）〜（ｆq＋５ｋＨｚ）の範囲に含まれている。そして、周波数ｆq-1又は周波数ｆq+1を中心周波数とする隣接チャンネルにおいてアナログ放送が行われている場合には、図２Ｂにおいて破線で示されるような隣接チャンネルを使用したアナログ放送成分ＡＢＳq-1又はＡＢＳq+1が存在することになる。一方、周波数ｆq-1又は周波数ｆq+1を中心周波数とする隣接チャンネルにおいてアナログ放送が行われていない場合には、アナログ放送成分ＡＢＳq-1又はＡＢＳq+1は存在しない。【００２８】
なお、図２Ｂにおいては図示されていないが、周波数ｆqを中心周波数とするアナログ放送のみが行われているときには、隣接チャンネルの周波数領域に、当該隣接チャンネルの更なる隣接チャンネルを中心周波数とするデジタル放送の信号成分が存在している場合もある。ここで、当該チャンネルの下側の隣接チャンネル領域にデジタル放送の信号成分が存在する場合には、周波数（ｆq−１０ｋＨｚ）〜（ｆq−５ｋＨｚ）の範囲には、下側第２成分ＤＳＵq-2が含まれ、周波数（ｆq−１５ｋＨｚ）〜（ｆq−１０ｋＨｚ）の範囲には、下側第１成分ＤＰＵq-2が含まれることになる。一方、当該チャンネルの上側の隣接チャンネル領域にデジタル放送の信号成分が存在する場合には、周波数（ｆq＋５ｋＨｚ）〜（ｆq＋１０ｋＨｚ）の範囲には、上側第２成分ＤＳＬq+2が含まれ、周波数（ｆq＋１０ｋＨｚ）〜（ｆq＋１５ｋＨｚ）の範囲には、上側第１成分ＤＰＬq+2が含まれることになる。【００２９】
図１に戻り、制御ユニット１２０Ａは、放送受信装置１００Ａの全体の動作を制御する。この制御ユニット１２０Ａについては、後述する。【００３０】
チューナユニット１３０は、制御ユニット１２０Ａからの選局指令ＣＳＬに従って選局処理を行い、所定の中間周波数を有する選局信号ＩＦＳをＡＤＣ１３５へ向けて出力する。このチューナユニット１３０は、図３に示されるように、入力フィルタ２１１と、高周波増幅器（ＲＦ−ＡＭＰ：Radio Frequency-Amplifier）２１２と、バンドパスフィルタ（以下、「ＲＦフィルタ」とも呼ぶ）２１３とを備えている。また、チューナユニット１３０は、ミキサ（混合器）２１４と、中間周波数フィルタ（以下、「ＩＦフィルタ」とも呼ぶ）２１５と、中間周波増幅器（ＩＦ−ＡＭＰ：Intermediate Frequency-Amplifier）２１６とを備えている。さらに、チューナユニット１３０は、局部発振回路（ＯＳＣ）２１９を備えている。【００３１】
入力フィルタ２１１は、アンテナ１１０からの受信信号ＲＦＳの低周波成分を遮断するハイパスフィルタである。高周波増幅器２１２は、アンテナ入力フィルタ２１１を通過した信号を増幅する。【００３２】
ＲＦフィルタ２１３は、高周波増幅器２１２から出力された信号のうち、特定の周波数範囲の信号を選択的に通過させる。ミキサ２１４は、ＲＦフィルタ２１３を通過した信号と、局部発振回路２１９から供給された局部発振信号とを混合する。ＩＦフィルタ２１５は、ミキサ２１４から出力された信号のうち、予め定められた中間周波数範囲（周波数幅：４０ｋＨｚ前後）の信号を選択して通過させる。【００３３】
中間周波増幅器２１６は、ＩＦフィルタ２１５を通過した信号を増幅する。この中間周波増幅器２１６による増幅結果が、選局信号ＩＦＳとしてＡＤＣ１３５へ送られる。【００３４】
局部発振回路２１９は、電圧制御等により発振周波数の制御が可能な発振器等を備えて構成される。この局部発振回路２１９は、制御ユニット１２０Ａから供給された選局指令ＣＳＬに従って、チューナユニット１３０において選局すべきチャンネルに対応する周波数の局部発振信号を生成し、ミキサ２１４へ供給する。【００３５】
図１に戻り、ＡＤＣ１３５は、アナログ信号である選局信号ＩＦＳを受ける。そして、ＡＤＣ１３５は、選局信号ＩＦＳをデジタル信号に変換する。この変換結果が、デジタル選局信号ＩＦＤとして、再生処理ユニット１４０Ａへ送られる。【００３６】
再生処理ユニット１４０Ａは、制御ユニット１２０Ａによる制御のもとで、ＡＤＣ１３５からのデジタル選局信号ＩＦＤを処理して、放送処理信号ＢＰＤを生成する。この再生処理ユニット１４０Ａは、図４に示されるように、アナログ放送処理部２２０Ａと、デジタル放送処理部２３０と、合成部２４０とを備えている。【００３７】
アナログ放送処理部２２０Ａは、ＡＤＣ１３５からのデジタル選局信号ＩＦＤを処理して、アナログ放送処理信号ＡＢＤを生成する。このアナログ放送処理部２２０Ａは、図５に示されるように、第１フィルタ手段としてのバンドパスフィルタ部（ＢＰＦ）２２１ＷＡと、第２フィルタ手段としてのバンドパスフィルタ部（ＢＰＦ）２２１ＮＡと、スイッチ部２２２Ａとを備えている。また、アナログ放送処理部２２０Ａは、第１及び第２検出手段としての検波部（ＤＥＴ）２２３Ａと、ノイズキャンセル部（ＮＣ）２２４Ａと、自動受信制御部（ＡＲＣ）２２５Ａとを備えている。【００３８】
ＢＰＦ２２１ＷＡは、ＡＤＣ１３５からのデジタル選局信号ＩＦＤを受ける。そして、ＢＰＦ２２１ＷＡは、選局指令ＣＳＬに対応するチャンネルを使用したアナログ放送が行われている場合において、当該アナログ放送の再生に必要な所定の周波数範囲の信号成分を選択的に通過させる。ここで、ＢＰＦ２２１ＷＡが通過させる信号の周波数範囲は、デジタル選局信号ＩＦＤにおける選局指令ＣＳＬに対応するチャンネルの中心周波数をＦjとした場合に、周波数（Ｆj−５ｋＨｚ）〜（Ｆj＋５ｋＨｚ）の範囲内であって、周波数Ｆjを中心とし、上述した周波数幅ΔＦよりも十分に広い第１所定周波数範囲である。ＢＰＦ２２１ＷＡを通過した信号は、信号ＷＢＤとして、スイッチ部２２２Ａへ送られる。【００３９】
なお、第１所定周波数範囲は、実験、シミュレーション、経験等に基づいて、予め定められる。【００４０】
ＢＰＦ２２１ＮＡは、ＡＤＣ１３５からのデジタル選局信号ＩＦＤを受ける。そして、ＢＰＦ２２１ＮＡは、周波数Ｆjを中心とし、周波数幅が上述した第１所定周波数幅よりも十分に狭い第２所定周波数範囲の信号成分を通過させる。ＢＰＦ２２１ＮＡを通過した信号は、信号ＮＢＤとして、スイッチ部２２２Ａへ送られる。【００４１】
なお、第２所定周波数範囲は、実験、シミュレーション、経験等に基づいて、予め定められる。【００４２】
スイッチ部２２２Ａは、Ａ端子でＢＰＦ２２１ＷＡからの信号ＷＢＤを受ける。また、スイッチ部２２２Ａは、Ｂ端子でＢＰＦ２２１ＮＡからの信号ＮＢＤを受ける。そして、スイッチ部２２２Ａは、制御ユニット１２０Ａからのバンド幅選択指令ＢＷＣに従って、信号ＷＢＤ及び信号ＮＢＤのいずれかを選択し、Ｃ端子から信号ＳＢＤとして出力する。【００４３】
検波部２２３Ａは、スイッチ部２２２Ａからの信号ＳＢＤを受ける。そして、検波部２２３Ａは、信号ＳＢＤに対して所定の方式で検波処理を施す。この検波結果は、検波信号ＤＴＤとして、ノイズキャンセル部２２４Ａへ向けて出力される。【００４４】
なお、検波部２２３Ａは、信号ＳＢＤのパワーレベルを検出するいわゆるＳメータ機能を有している。このＳメータ機能を利用して検出された信号パワーレベルは、レベル検出結果ＤＬＤとして制御ユニット１２０Ａに報告される。【００４５】
ノイズキャンセル部２２４Ａは、検波部２２３Ａからの検波信号ＤＴＤを受ける。そして、ノイズキャンセル部２２４Ａは、検波信号ＤＴＤに重畳している高周波ノイズ等を除去し、ノイズキャンセル信号ＮＣＤを生成する。このノイズキャンセル信号ＮＣＤは、自動受信制御部２２５Ａへ送られる。【００４６】
自動受信制御部２２５Ａは、ノイズキャンセル部２２４Ａからのノイズキャンセル信号ＮＣＤを受ける。そして、自動受信制御部２２５Ａは、ノイズキャンセル信号ＮＣＤに基づいて、電波状況の変動を推定し、その推定結果に応じてオートハイカット処理やシフトミュート処理を行う。自動受信制御部２２５Ａによる処理結果が、アナログ放送処理信号ＡＢＤとして合成部２４０へ送られる。【００４７】
図４に戻り、デジタル放送処理部２３０は、ＡＤＣ１３５からのデジタル選局信号ＩＦＤを処理して、デジタル放送処理信号ＤＢＤを生成する。このデジタル放送処理部２３０は、図６に示されるように、ＯＦＤＭ復調部２３１と、デコード部２３２とを備えている。【００４８】
ＯＦＤＭ復調部２３１は、デジタル選局信号ＩＦＤに基づいて、ＯＦＤＭ復調処理を行う。ＯＦＤＭ復調部２３１による復調結果は、復調信号ＤＭＤとしてデコード部２３２へ送られる。【００４９】
デコード部２３２は、ＯＦＤＭ復調部２３１からの復調信号ＤＭＤを受ける。そして、デコード部２３２は、復調信号ＤＭＤのデコードを行う。このデコード結果は、デジタル放送処理信号ＤＢＤとして合成部２４０へ送られる。【００５０】
図４に戻り、合成部２４０は、アナログ放送処理部２２０Ａからのアナログ放送処理信号ＡＢＤと、デジタル放送処理部２３０からのデジタル放送処理信号ＤＢＤとを受ける。そして、合成部２４０は、アナログ放送処理信号ＡＢＤとデジタル放送処理信号ＤＢＤとの合成を行う。この合成結果は、放送処理信号ＢＰＤとしてＤＡＣ１４５へ送られる。【００５１】
なお、図示を省略しているが、合成部２４０における信号合成は、制御ユニット１２０Ａによる制御のもとで行われる。例えば、制御ユニット１２０Ａは、レベル検出結果ＤＬＤに基づいて合成比を決定し、決定された合成比を合成部２４０に対して指定する。【００５２】
図１に戻り、ＤＡＣ１４５は、デジタル信号である放送処理信号ＢＰＤを受ける。そして、ＤＡＣ１４５は、放送処理信号ＢＰＤをアナログ信号に変換する。この変換結果が、信号ＢＰＳとして、音量調整ユニット１５０へ送られる。【００５３】
音量調整ユニット１５０は、いわゆる電子ボリュームの機能を有している。この音量調整ユニット１５０は、ＤＡＣ１４５からの信号ＢＰＳを受ける。そして、音量調整ユニット１５０は、制御ユニット１２０Ａからの音量調整指定ＶＬＣに従って、信号ＢＰＳの増幅又は減衰の処理を行う。この処理の結果は、音量調整信号ＶＣＳとしてパワー増幅器１５５へ送られる。【００５４】
パワー増幅器１５５は、音量調整ユニット１５０からの音量調整信号ＶＣＳを受ける。そして、パワー増幅器１５５は、音量調整信号ＶＣＳのパワー増幅を行う。この増幅結果は、音声出力信号ＡＯＳとしてスピーカ１６０へ送られる。【００５５】
スピーカ１６０は、パワー増幅器１５５からの音声出力信号ＡＯＳを受ける。そして、スピーカ１６０は、音声出力信号ＡＯＳに対応する音声を再生出力する。【００５６】
操作入力ユニット１７０は、放送受信装置１００Ａの本体部に設けられたキー部、あるいはキー部を備えるリモート入力装置等により構成される。ここで、本体部に設けられたキー部としては、表示ユニット１８０に設けられたタッチパネルを用いることができる。また、キー部を有する構成に代えて、音声入力する構成を採用することもできる。操作入力ユニット１７０への操作入力結果は、操作入力データＩＰＤとして制御ユニット１２０Ａへ送られる。【００５７】
表示ユニット１８０は、（ｉ）液晶表示パネル、有機ＥＬ（Electro Luminescence）パネル、ＰＤＰ（Plasma Display Panel）等の表示デバイスと、（ii）制御ユニット１２０Ａから受信した画像データＩＤＴに従って、当該表示デバイスに画像を表示させる表示制御回路とを備えている。この表示ユニット１８０には、操作ガイダンスや放送受信装置１００Ａの状態が表示される。【００５８】
図１に戻り、制御ユニット１２０Ａは、上述したように、放送受信装置１００Ａの全体の動作を制御する。この制御ユニット１２０Ａは、図７に示されるように、処理管理部１２１と、判定手段及びデジタル放送スキャン手段としてのデジタル放送判定部１２２と、選局制御手段としての選局制御部１２３とを備えている。【００５９】
処理管理部１２１は、操作入力ユニット１７０に入力された動作指令に従って、放送受信装置１００Ａの動作の制御を行う。すなわち、操作入力ユニット１７０から特定局を指定した選局指令が入力されたことが報告されると、処理管理部１２１は、その特定局を選択すべきことを指定した選局要求ＣＳＲを選局制御部１２３へ送る。また、操作入力ユニット１７０から音量指定が入力されたことが報告されると、処理管理部１２１は、指定された音量に対応する音量調整指定ＶＬＣを音量調整ユニット１５０へ送る。さらに、処理管理部１２１は、操作ガイダンスや放送受信装置１００Ａの状態表示用の画像データＩＤＴを表示ユニット１８０へ送る。【００６０】
また、操作入力ユニット１７０からデジタル放送を含むハイブリッド放送を行っているチャンネルに関するスキャンを行うべきことが入力されたことが報告されると、処理管理部１２１は、デジタル放送判定部１２２へデジタル放送のスキャン指令を送る。ここで、操作入力ユニット１７０から、スキャン方向において現在聴取中のチャンネルに最も近いハイブリッド放送チャンネルを探索すべきことが入力されたことが報告されると、処理管理部１２１は、デジタル放送判定部１２２へデジタル放送のシーク指令ＳＳＫを送る。また、操作入力ユニット１７０から、予め定められた周波数範囲の全範囲について、ハイブリッド放送チャンネルの情報を収集すべきことが入力されたことが報告されると、処理管理部１２１は、デジタル放送判定部１２２へデジタル放送に関する全範囲スキャン指令ＳＳＣを送る。【００６１】
なお、本第１実施形態においては、処理管理部１２１は、シーク指令ＳＳＫ及び全範囲スキャン指令ＳＳＣのいずれの場合にも、スキャンに関する開始チャンネル及び終了チャンネルを指定するようになっている。また、処理管理部１２１は、シーク指令ＳＳＫ又は全範囲スキャン指令ＳＳＣの発行から、デジタル放送判定部１２２によるスキャン動作が終了するまでの間、音量を０とする（ミュート状態とする）ことを音量調整指定ＶＬＣにより指定するようになっている。【００６２】
デジタル放送判定部１２２は、処理管理部１２１からのシーク指令ＳＳＫ又は全範囲スキャン指令ＳＳＣを受けると、デジタル放送のスキャンを開始する。かかるデジタル放送のスキャンに際して、デジタル放送判定部１２２は、選択すべきチャンネルを指定した選局要求ＣＳＱを、順次選局制御部１２３へ送る。そして、選局要求ＣＳＱによりチャンネルが選択されるごとに、デジタル放送判定部１２２は、バンド幅選択指令ＢＷＣを用いて、スイッチ部２２２Ａによる信号選択を切り換えさせる。【００６３】
デジタル放送判定部１２２は、かかる信号選択の切り換えを制御しつつ、信号ＷＢＤが選択された場合におけるレベル検出結果ＤＬＤの値ＶW、及び、信号ＮＢＤが選択された場合におけるレベル検出結果ＤＬＤの値ＶNを収集する。そして、値ＶW及び値ＶNの収集結果に基づいて、ハイブリッド放送が行われているチャンネルであるか否かを判定する。【００６４】
デジタル放送判定部１２２は、デジタル放送のスキャン動作を終了すると、その旨をスキャン終了報告ＳＴＰとして、処理管理部１２１に報告する。ここで、シーク指令ＳＳＫに対する終了報告の場合には、デジタル放送判定部１２２は、スキャン方向において現在聴取中のチャンネルに最も近いハイブリッド放送チャンネルの情報を処理管理部１２１に報告する。また、全範囲スキャン指令ＳＳＣに対する終了報告の場合には、デジタル放送判定部１２２は、予め定められた周波数範囲の全範囲において見つかった全てのハイブリッド放送チャンネルの情報を処理管理部１２１に報告する。【００６５】
選局制御部１２３は、処理管理部１２１からの選局要求ＣＳＲ及びデジタル放送判定部１２２からの選局要求ＣＳＱを受ける。そして、選局制御部１２３は、選局要求ＣＳＲ又は選局要求ＣＳＱを受けるたびに、受信した選局要求に対応する選局指令ＣＳＬをチューナユニット１３０へ送る。【００６６】
［動作］
以上のようにして構成された放送受信装置１００Ａの動作について、アナログ放送とデジタル放送の双方を行っているハイブリッド放送におけるデジタル放送のデジタル放送判定部１２２によるサーチ処理に主に着目して説明する。【００６７】
《シーク動作》
まず、ハイブリッド放送におけるデジタル放送のシーク処理について、説明する。【００６８】
このシーク処理は、操作入力ユニット１７０からスキャン方向において現在聴取中のチャンネルに最も近いハイブリッド放送チャンネルを探索すべきことが入力されたことが報告された処理管理部１２１が、シーク指令ＳＳＫをデジタル放送判定部１２２に送ることにより開始する。なお、上述したように、当該シーク指令ＳＳＫでは、シークの開始チャンネルと終了チャンネルが指定されるようになっている。【００６９】
図８に示されるように、シーク処理Ｓ１０では、まず、ステップＳ１１において、デジタル放送判定部１２２が、開始チャンネルを選択すべき旨の選局要求ＣＳＱを選局制御部１２３へ送る。この選局要求ＣＳＱを受けた選局制御部１２３は、開始チャンネルに対応する選局指令ＣＳＬをチューナユニット１３０へ送る。この結果、チューナユニット１３０において開始チャンネルに対応する中間周波信号である選局信号ＩＦＳが抽出される。そして、選局信号ＩＦＳがＡＤＣ１３５によりデジタル変換された後、変換結果であるデジタル選局信号ＩＦＤが再生処理ユニット１４０Ａに供給される。【００７０】
引き続き、ステップＳ１２において、デジタル放送判定部１２２が、選局されたチャンネルが、デジタル放送成分のみを含むと推定できるかという第１隣接チャンネル条件の判定処理を行う。このステップＳ１２における第１隣接チャンネル条件の判定処理では、図９に示されるように、まず、ステップＳ２１において、デジタル放送判定部１２２が、値ＶW，ＶNを収集する。【００７１】
値ＶW，ＶNの収集に際して、デジタル放送判定部１２２は、まず、信号ＷＢＤを選択すべきバンド幅制御指令ＢＷＣをスイッチ部２２２Ａへ送る。この結果、検波部２２３ＡのＳメータ機能により、信号ＷＢＤの信号レベル値ＶWが検出され、レベル検出結果ＤＬＤとしてデジタル放送判定部１２２に報告される。デジタル放送判定部１２２は、こうして報告された値ＶWを取得する。【００７２】
引き続き、デジタル放送判定部１２２は、信号ＮＢＤを選択すべきバンド幅制御指令ＢＷＣをスイッチ部２２２Ａへ送る。この結果、検波部２２３ＡのＳメータ機能により、信号ＮＢＤの信号レベル値ＶNが検出され、レベル検出結果ＤＬＤとしてデジタル放送判定部１２２に報告される。デジタル放送判定部１２２は、こうして報告された値ＶNを取得する。【００７３】
こうして、値ＶW，ＶNの収集が終了すると、処理はステップＳ２２へ進む。このステップＳ２２では、デジタル放送判定部１２２が、値ＶWが所定値ＶW1よりも大きいか否かを判定することにより、選択されているチャンネルの帯域に、アナログ放送信号成分又はデジタル放送成分が存在すると推定できるか否かを判定する。この判定の結果が否定的であった場合（ステップＳ２２：Ｎ）には、第１隣接チャンネル条件を満たさないとして、処理はステップＳ１３へ進む。なお、所定値ＶW1は、実験、シミュレーション、経験等により予め定められる。【００７４】
ステップＳ２２における判定の結果が肯定的であった場合（ステップＳ２２：Ｙ）には、処理はステップＳ２３へ進む。このステップＳ２３では、デジタル放送判定部１２２が、値（ＶN／ＶW）が所定値Ｒ1よりも小さいか否かを判定することにより、選択されているチャンネルの帯域に含まれている信号成分がデジタル放送成分のみであると推定できるか否かを判定する。なお、所定値Ｒ1は、実験、シミュレーション、経験等により予め定められる。【００７５】
ステップＳ２３における判定の結果が否定的であった場合（ステップＳ２３：Ｎ）には、第１隣接チャンネル条件を満たさないとして、処理はステップＳ１３へ進む。一方、ステップＳ２３における判定の結果が肯定的であった場合（ステップＳ２３：Ｙ）には、第１隣接チャンネル条件を満たすとして、処理はステップＳ１４へ進む。【００７６】
図８に戻り、ステップＳ１２において、第１隣接チャンネル条件を満たさないと判定されて（ステップＳ１２：Ｎ）、ステップＳ１３へ進むと、次のチャンネルの選局処理が行われる。このステップＳ１３における次のチャンネルの選局処理では、図１０に示されるように、まず、デジタル放送判定部１２２が、現在選択しているチャンネルがシーク指令ＳＳＫにおいて指定された終了チャンネルと異なるチャンネルであるか否かを判定する。この判定の結果が否定的であった場合（ステップＳ３１：Ｎ）には、デジタル放送判定部１２２が、ハイブリッド放送をしているチャンネルが見つからなかった旨のスキャン終了報告ＳＴＰとして、処理管理部１２１に報告し、ステップＳ１０の処理を終了する。【００７７】
ステップＳ３１の判定の結果が肯定的であった場合（ステップＳ３１：Ｙ）には、処理はステップＳ３２へ進む。このステップＳ３２では、デジタル放送判定部１２２が、現在選択されているチャンネルの次のチャンネルを選択すべき旨の選局要求ＣＳＱを選局制御部１２３へ送る。この結果、選局制御部１２３により、当該次のチャンネルに対応する選局指令ＣＳＬがチューナユニット１３０へ送られ、当該次のチャンネルに対応するデジタル選局信号ＩＦＤが再生処理ユニット１４０Ａに供給される。この後、処理はステップＳ１２へ戻る。【００７８】
図８に戻り、ステップＳ１２において、第１隣接チャンネル条件を満たされていると判定されて（ステップＳ１２：Ｙ）、ステップＳ１４へ進むと、次のチャンネルの選局処理が行われる。このステップＳ１４における次のチャンネルの選局処理としては、図１０に示されるように、次のチャンネルの選局の後、ステップＳ１５へ進むことを除いて、上述したステップＳ１３の場合と同様の処理が行われる。【００７９】
図８に戻り、ステップＳ１４において次のチャンネルの選局が行われ、処理がステップＳ１５へ進むと、デジタル放送判定部１２２は、選局されたチャンネルがアナログ放送成分及びデジタル放送成分を含むと推定できるかという中心チャンネル条件の判定処理を行う。このステップＳ１５における中心チャンネル条件の判定処理では、図１１に示されるように、まず、ステップＳ４１において、上述したステップＳ２１の場合と同様にして、デジタル放送判定部１２２が、値ＶW，ＶNを収集する。【００８０】
引き続き、ステップＳ４２において、デジタル放送判定部１２２が、値ＶWが所定値ＶW2よりも大きいか否かを判定することにより、選択されているチャンネルの帯域に、アナログ放送成分又はデジタル放送成分が存在すると推定できるか否かを判定する。この判定の結果が否定的であった場合（ステップＳ４２：Ｎ１）には、中心隣接チャンネル条件を満たさないとともに、上述した第１隣接チャンネル条件も満たすことがないとして、処理はステップＳ１３へ進む。なお、所定値ＶW2は、実験、シミュレーション、経験等により予め定められる。【００８１】
ステップＳ４２における判定の結果が肯定的であった場合（ステップＳ４２：Ｙ）には、処理はステップＳ４３へ進む。このステップＳ４３では、デジタル放送判定部１２２が、値（ＶN／ＶW）が所定値Ｒ2以上か否かを判定することにより、選択されているチャンネルの帯域にアナログ放送成分及びデジタル放送成分が含まれていると推定できるといえるか否かを判定する。なお、所定値Ｒ2は、実験、シミュレーション、経験等により予め定められる。【００８２】
ステップＳ４３における判定の結果が否定的であった場合（ステップＳ４３：Ｎ２）には、中心チャンネル条件は満たしていないが、第１隣接チャンネル条件を満たしているとして、処理はステップＳ１４へ戻る。一方、ステップＳ４３における判定の結果が肯定的であった場合（ステップＳ４３：Ｙ）には、中心チャンネル条件を満たすとして、処理はステップＳ１６へ進む。【００８３】
図８に戻り、ステップＳ１５において、中心チャンネル条件を満たされていると判定されて（ステップＳ１５：Ｙ）、ステップＳ１６へ進むと、次のチャンネルの選局処理が行われる。このステップＳ１６における次のチャンネルの選局処理としては、図１０に示されるように、次のチャンネルの選局の後、ステップＳ１７へ進むことを除いて、上述したステップＳ１３の場合と同様の処理が行われる。【００８４】
図８に戻り、ステップＳ１６において次のチャンネルの選局が行われ、処理がステップＳ１７へ進むと、デジタル放送判定部１２２は、選局されたチャンネルがデジタル放送成分のみを含むと推定できるという第２隣接チャンネル条件の判定処理を行う。このステップＳ１７における第２隣接チャンネル条件の判定処理では、図１２に示されるように、まず、ステップＳ５１において、上述したステップＳ２１の場合と同様にして、デジタル放送判定部１２２が、値ＶW，ＶNを収集する。【００８５】
引き続き、ステップＳ５２において、デジタル放送判定部１２２が、値ＶWが所定値ＶW1よりも大きいか否かを判定することにより、選択されているチャンネルの帯域に、アナログ放送信号成分又はデジタル放送成分が存在すると推定できるか否かを判定する。この判定の結果が否定的であった場合（ステップＳ５２：Ｎ）には、第２隣接チャンネル条件を満たさないとして、処理はステップＳ１３へ進む。【００８６】
ステップＳ５２における判定の結果が肯定的であった場合（ステップＳ５２：Ｙ）には、処理はステップＳ５３へ進む。このステップＳ５３では、デジタル放送判定部１２２が、値（ＶN／ＶW）が所定値Ｒ1よりも小さいか否かを判定することにより、選択されているチャンネルの帯域に含まれている信号成分がデジタル放送成分と推定できるといえるか否かを判定する。【００８７】
ステップＳ５３における判定の結果が否定的であった場合（ステップＳ５３：Ｎ）には、第２隣接チャンネル条件を満たさないとして、処理はステップＳ１３へ進む。一方、ステップＳ５３における判定の結果が肯定的であった場合（ステップＳ５３：Ｙ）には、第２隣接チャンネル条件を満たすとして、処理はステップＳ１８へ進む。【００８８】
図８に戻り、ステップＳ１８では、デジタル放送判定部１２２が、上述したステップＳ１５において中心チャンネル条件を満たすと判定されたチャンネルの情報、すなわちハイブリッド放送が行われているチャンネルに対応する中心チャンネルの周波数情報を、スキャン終了報告ＳＴＰとして、処理管理部１２１に報告する。この後、シーク処理であるステップＳ１０の処理を終了する。【００８９】
シーク処理によりサーチされた中心チャンネルの情報を受けた処理管理部１２１は、当該中心チャンネルを選択すべき旨の選局要求ＣＳＲを選局制御部１２３へ送る。この選局要求ＣＳＲを受けた選局制御部１２３は、当該中心チャンネルに対応する選局指令ＣＳＬをチューナユニット１３０へ送る。この結果、チューナユニット１３０において開始チャンネルに対応する中間周波信号である選局信号ＩＦＳが抽出される。そして、選局信号ＩＦＳがＡＤＣ１３５によりデジタル変換された後、変換結果であるデジタル選局信号ＩＦＤが再生処理ユニット１４０Ａに供給される。そして、再生処理ユニット１４０Ａ、ＤＡＣ１４５、音量調整ユニット１５０、パワー増幅器１５５による信号処理が順次行われ、シークされたハイブリッド放送の音声が、スピーカ１６０から再生出力される。【００９０】
《全範囲スキャン動作》
次に、ハイブリッド放送におけるデジタル放送の全範囲スキャン処理について、説明する。【００９１】
この全範囲スキャン処理は、操作入力ユニット１７０から、予め定められた周波数範囲の全範囲について、ハイブリッド放送チャンネルの情報を収集すべきことが入力されたことが報告された処理管理部１２１が、全範囲スキャン指令ＳＳＣをデジタル放送判定部１２２に送ることにより開始する。なお、上述したように、当該全範囲スキャン指令ＳＳＣでは、スキャンの開始チャンネルと終了チャンネルが指定されるようになっている。【００９２】
図１３に示されるように、全範囲スキャン処理Ｓ６０では、上述したシーク処理の場合と同様に、ステップＳ１１〜Ｓ１７の処理が実行される。なお、ステップＳ１３，Ｓ１４，Ｓ１６において、全範囲スキャン処理Ｓ６０を終了すべきとの判定がなされた場合には、全範囲スキャンにより見つかった全てのハイブリッド放送に関する情報を、スキャン終了報告ＳＴＰとして、処理管理部１２１に報告する点が、シーク処理Ｓ１０の場合と異なっている。【００９３】
また、この全範囲スキャン処理Ｓ６０では、ステップＳ１７において、第２隣接チャンネル条件が満たされると判定された場合には、シーク処理Ｓ１０の場合のステップＳ１８に代えて、ステップＳ６１において、サーチされたハイブリッド放送の中心チャンネルの情報が、デジタル放送判定部１２２内に記憶されるようになっている。そして、ステップＳ６１の処理の後、ステップＳ１３へ戻るようになっている。【００９４】
全範囲スキャン処理によりサーチされたハイブリッド放送に利用されているチャンネルの情報を受けた処理管理部１２１は、これらの情報を操作ガイダンスの表示等に活用する。この結果、利用者の利便性が向上される。【００９５】
以上説明したように、本第１実施形態では、ＩＢＯＣ方式によるハイブリッド放送のサーチを、アナログ放送の再生に適した帯域幅の信号である信号ＷＢＤという広帯域で抽出した信号の信号レベル値ＶW、及び、ＩＢＯＣ方式の場合にはデジタル放送成分もアナログ放送成分も存在しない可能性のあるΔＦ程度の帯域幅の信号である信号ＮＢＤという狭帯域で抽出した信号の信号レベル値ＶNを、選択するチャンネルを順次変えながら収集する。そして、信号レベル値ＶW，ＶNのみに基づいて、連続する３つのチャンネルについて、第１隣接チャンネル条件、中心チャンネル条件及び第２隣接チャンネル条件を順次満たしているか否かを判断することにより、ハイブリッド放送が行われているチャンネルをサーチする。【００９６】
したがって、受信内容を解析してデジタル放送が含まれていることを確認しなくとも済むので、ＩＢＯＣ方式のラジオ放送の受信に際して、迅速にデジタル放送が含まれているか否かを判断することができる。【００９７】
［第２実施形態］
次に、本発明の第２実施形態を、図１４〜図１６を主に参照しつつ説明する。【００９８】
＜構成＞
図１４には、第２実施形態に係る放送受信装置１００Ｂの概略的な構成がブロック図にて示されている。なお、放送受信装置１００Ｂも、第１実施形態の放送受信装置１００Ａと同様に、ＩＢＯＣ方式の振幅変調ラジオ放送を受信して再生することが可能な放送受信装置である。【００９９】
図１４に示されるように、放送受信装置１００Ｂは、上述した放送受信装置１００Ａと比べて、制御ユニット１２０Ａに代えて制御ユニット１２０Ｂを備える点、及び、再生処理ユニット１４０Ａに代えて再生処理ユニット１４０Ｂを備える点のみが異なっている。以下、これらの相違点に主に着目して説明する。【０１００】
制御ユニット１２０Ｂは、制御ユニット１２０Ａと比べて、後述するように、アナログ信号として報告されるレベル検出信号ＤＬＳを入力するアナログ入力ポートを有している点のみが異なっている。このアナログ入力ポートでは、レベル検出信号ＤＬＳをデジタル変換して、制御ユニット１２０Ｂの内部へ供給するようになっている。【０１０１】
再生処理ユニット１４０Ｂは、チューナユニット１３０からの選局信号ＩＦＳ及びＡＤＣ１３５からのデジタル選局信号ＩＦＤを受ける。そして、再生処理ユニット１４０Ｂは、再生処理ユニット１４０Ａの場合と同様の放送処理信号ＢＰＤを生成する。この再生処理ユニット１４０Ｂは、図１５に示されるように、再生処理ユニット１４０Ａと比べて、アナログ放送処理部２２０Ａに代えてアナログ放送処理部２２０Ｂを備える点、及び、ＡＤＣ２２９を更に備える点が異なっている。【０１０２】
アナログ放送処理部２２０Ｂは、アナログ信号であるチューナユニット１３０からの選局信号ＩＦＳの処理を行い、アナログ信号であるアナログ放送処理信号ＡＢＳを生成する。アナログ放送処理部２２０Ｂは、図１６に示されるように、アナログ放送処理部２２０Ａと比べて、デジタル信号処理要素である要素２２１Ａ〜２２５Ａに代えて、アナログ信号処理要素である要素２２１Ｂ〜２２５Ｂを備えている。要素２２１Ｂ〜２２５Ｂは、要素２２１Ａ〜２２５Ａと同等の処理をアナログ処理により実行する。ここで、検波部２２３ＢにおけるＳメータ機能により検出された信号レベルが、レベル検出信号ＤＬＳとして制御ユニット１２０Ｂに報告されるようになっている。【０１０３】
図１５に戻り、アナログ放送処理部２２０Ｂにより生成されたアナログ放送処理信号ＡＢＳは、ＡＤＣ２２９へ送られる。このアナログ放送処理信号ＡＢＳを受けたＡＤＣ２２９は、アナログ放送処理信号ＡＢＳをデジタル変換し、デジタル信号であるアナログ放送処理信号ＡＢＤを生成する。こうして生成されたアナログ放送処理信号ＡＢＤは、合成部２４０へ送られる。【０１０４】
＜動作＞
以上のように構成された放送受信装置１００Ｂは、再生処理ユニット１４０Ｂにおけるアナログ放送処理が、アナログ放送処理部２２０Ｂによりアナログ信号処理として行われ、その結果がデジタル変換されることを除いて、第１実施形態における放送受信装置１００Ａと同様に動作する。そして、ハイブリッド放送におけるデジタル放送のサーチに際しても、放送受信装置１００Ａの場合と同様に、上述した図８〜図１３の処理が、制御ユニット１２０Ｂにおけるデジタル放送判定部１２２により実行される。【０１０５】
以上説明したように、本第２実施形態では、上述した第１実施形態の場合と同様に、ＩＢＯＣ方式によるハイブリッド放送のサーチを、アナログ放送の再生に適した帯域幅の信号である信号ＷＢＳという広帯域で抽出した信号の信号レベル値ＶW、及び、ＩＢＯＣ方式の場合にはデジタル放送成分もアナログ放送成分も存在しない可能性のあるΔＦ程度の帯域幅の信号である信号ＮＢＳという狭帯域で抽出した信号の信号レベル値ＶNを、選択するチャンネルを順次変えながら収集する。そして、信号レベル値ＶW，ＶNのみ基づいて、連続する３つのチャンネルについて、第１隣接チャンネル条件、中心チャンネル条件及び第２隣接チャンネル条件を順次満たしているか否かを判断することにより、ハイブリッド放送が行われているチャンネルをサーチする。【０１０６】
したがって、本第２実施形態によれば、第１実施形態の場合と同様に、受信内容を解析してデジタル放送が含まれていることを確認しなくとも済むので、ＩＢＯＣ方式のラジオ放送の受信に際して、迅速にデジタル放送が含まれているか否かを判断することができる。【０１０７】
［実施形態の変形］
本発明は、上記の実施形態に限定されるものではなく、様々な変形が可能である。【０１０８】
例えば、上記の第１及び第２実施形態では、信号ＷＢＤ（ＷＢＳ）及び信号ＮＢＤ（ＮＢＳ）の信号レベルを、検波部２２３Ａ（２２３Ｂ）のＳメータ機能を利用して検出するようにした。これに対し、信号ＷＢＤ（ＷＢＳ）及び信号ＮＢＤ（ＮＢＳ）の信号レベルを検出する信号レベル検出部を検波部２２３Ａ（２２３Ｂ）とは別に設けることもできる。【０１０９】
この場合、信号ＷＢＤ（ＷＢＳ）及び信号ＮＢＤ（ＮＢＳ）の信号レベルの検出に共用される１つの信号レベル検出部を設け、第１及び第２実施形態の場合と同様に、スイッチにより検出対象の信号を切り換えるようにすることができる。また、信号ＷＢＤ（ＷＢＳ）及び信号ＮＢＤ（ＮＢＳ）ごとに専用の信号レベル検出部を設け、双方の信号レベルの検出を並行して行うようにすることもできる。【０１１０】
また、上記の第１及び第２実施形態では、所定値ＶW1と所定値ＶW2とが異なる値であることを想定して説明したが、所定値ＶW1と所定値ＶW2とを同一値とすることもできる。【０１１１】
また、上記の第１及び第２実施形態では、所定値Ｒ1と所定値Ｒ2とが異なる値であることを想定して説明したが、所定値Ｒ1と所定値Ｒ2とを同一値とすることもできる。【０１１２】
また、上記の第１及び第２実施形態では、ハイブリッド放送のサーチのためのスキャン方向は予め定まっていることを想定したが、特にシーク処理に際しては、利用者が当該スキャン方向を操作入力により指定できるようにすることもできる。【０１１３】
また、上記の第１及び第２実施形態では、連続する３つのチャンネルが、第１隣接チャンネル条件、中心チャンネル条件及び第２隣接チャンネル条件を順次満たしていることをハイブリッド放送のサーチの条件とした。これに対し、電波環境等の受信環境によっては、連続する２つのチャンネルが、第１隣接チャンネル条件及び中心チャンネル条件、又は、中心チャンネル条件及び第２隣接チャンネル条件を順次満たしていることをハイブリッド放送のサーチの条件とすることもできる。【０１１４】
なお、上記の第１及び第２実施形態における制御ユニット及び再生処理ユニットの一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の第１及び第２実施形態におけるデジタル処理を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図１】
2009040940.tif 000003
【図２Ａ】
2009040940.tif 000004
【図２Ｂ】
2009040940.tif 000005
【図３】
2009040940.tif 000006
【図４】
2009040940.tif 000007
【図５】
2009040940.tif 000008
【図６】
2009040940.tif 000009
【図７】
2009040940.tif 000010
【図８】
2009040940.tif 000011
【図９】
2009040940.tif 000012
【図１０】
2009040940.tif 000013
【図１１】
2009040940.tif 000014
【図１２】
2009040940.tif 000015
【図１３】
2009040940.tif 000016
【図１４】
2009040940.tif 000017
【図１５】
2009040940.tif 000018
【図１６】
2009040940.tif 000019
【手続補正書】
【提出日】平成22年3月2日(2010.3.2)
【手続補正１】
【補正対象書類名】明細書
【補正対象項目名】００３１
【補正方法】変更
【補正の内容】
【００３１】
入力フィルタ２１１は、アンテナ１１０からの受信信号ＲＦＳの低周波成分を遮断するハイパスフィルタである。高周波増幅器２１２は、入力フィルタ２１１を通過した信号を増幅する。
【手続補正２】
【補正対象書類名】明細書
【補正対象項目名】００４６
【補正方法】変更
【補正の内容】
【００４６】
自動受信制御部２２５Ａは、ノイズキャンセル部２２４Ａからのノイズキャンセル信号ＮＣＤを受ける。そして、自動受信制御部２２５Ａは、ノイズキャンセル信号ＮＣＤに基づいて、電波状況の変動を推定し、その推定結果に応じてオートハイカット処理やソフトミュート処理を行う。自動受信制御部２２５Ａによる処理結果が、アナログ放送処理信号ＡＢＤとして合成部２４０へ送られる。
【手続補正３】
【補正対象書類名】明細書
【補正対象項目名】００７３
【補正方法】変更
【補正の内容】
【００７３】
こうして、値ＶW，ＶNの収集が終了すると、処理はステップＳ２２へ進む。このステップＳ２２では、デジタル放送判定部１２２が、値ＶWが所定値ＶW1よりも大きいか否かを判定することにより、選択されているチャンネルの帯域に、アナログ放送成分又はデジタル放送成分が存在すると推定できるか否かを判定する。この判定の結果が否定的であった場合（ステップＳ２２：Ｎ）には、第１隣接チャンネル条件を満たさないとして、処理はステップＳ１３へ進む。なお、所定値ＶW1は、実験、シミュレーション、経験等により予め定められる。
【手続補正４】
【補正対象書類名】明細書
【補正対象項目名】００８０
【補正方法】変更
【補正の内容】
【００８０】
引き続き、ステップＳ４２において、デジタル放送判定部１２２が、値ＶWが所定値ＶW2よりも大きいか否かを判定することにより、選択されているチャンネルの帯域に、アナログ放送成分又はデジタル放送成分が存在すると推定できるか否かを判定する。この判定の結果が否定的であった場合（ステップＳ４２：Ｎ１）には、中心チャンネル条件を満たさないとともに、上述した第１隣接チャンネル条件も満たすことがないとして、処理はステップＳ１３へ進む。なお、所定値ＶW2は、実験、シミュレーション、経験等により予め定められる。
【手続補正５】
【補正対象書類名】明細書
【補正対象項目名】００８９
【補正方法】変更
【補正の内容】
【００８９】
シーク処理によりサーチされた中心チャンネルの情報を受けた処理管理部１２１は、当該中心チャンネルを選択すべき旨の選局要求ＣＳＲを選局制御部１２３へ送る。この選局要求ＣＳＲを受けた選局制御部１２３は、当該中心チャンネルに対応する選局指令ＣＳＬをチューナユニット１３０へ送る。この結果、チューナユニット１３０において中心チャンネルに対応する中間周波信号である選局信号ＩＦＳが抽出される。そして、選局信号ＩＦＳがＡＤＣ１３５によりデジタル変換された後、変換結果であるデジタル選局信号ＩＦＤが再生処理ユニット１４０Ａに供給される。そして、再生処理ユニット１４０Ａ、ＤＡＣ１４５、音量調整ユニット１５０、パワー増幅器１５５による信号処理が順次行われ、シークされたハイブリッド放送の音声が、スピーカ１６０から再生出力される。
【国際調査報告】
2009040940.tif 000020
2009040940.tif 000021